(57)【要約】【課題】撮像素子組込み型マウスにおいて、撮像素子を使用してカメラとして使用する場合は、撮影エリアの固定を行う為にマウス底面部に撮影エリアの調整用として固定具等を使用し撮影エリアの固定をしなければならない。【解決手段】マウス１本体の底面にスタンド格納溝２１を設け、格納溝２１に格納できる自立格納式スタンド１０を搭載することにより、撮像素子を使用してカメラとして使用する場合は、この該スタンド１０の立てる角度を調整することにより、撮影範囲エリアの固定ができ、固定具もしくは撮影エリアの調整用として台等を用いることなく容易に撮影エリアの固定が可能となる。【選択図】図４
2006072751.tif 000002
【特許請求の範囲】
【請求項１】
撮像素子を組込んだ座標情報入力機能を有する撮像素子組込み型マウスにおいて、該マウスの角度を調整し、撮影エリアを固定する為のスタンドを該マウスの底面に取り付けたことを特徴とする撮像素子組込み型マウス。
【請求項２】
請求項１記載の該スタンドが該マウス底面の外周縁とトラックボールの間に形成された格納溝から取り出された時、座標情報入力機能から撮像入力機能へと自動的に切替える切替え手段を搭載したことを特徴とする撮像素子組込み型マウス。
【請求項３】
請求項２記載の該切替え手段は、該スタンドが該格納溝へ格納された時、該格納溝に配された透過型または反射型光学センサを該スタンドで遮断もしくは反射する様にした事を特徴とする撮像素子組込み型マウス。
【請求項４】
請求項２記載の該切替え手段は、該スタンドが該格納溝へ格納された時、該格納溝に配された機械式スイッチを該スタンドで押し込むことにより機械式スイッチ内部の接点を開閉する様にした事を特徴とする撮像素子組込み型マウス。
【請求項５】
請求項１または２に記載の該スタンドは、略Ｍ字型形状もしくは、伸縮式の形状としたことを特徴とする撮像素子組込み型マウス。
【請求項６】
請求項１乃至５のいずれか記載の該マウスのテール部にテーパーを設けたことを特徴とする撮像素子組込み型マウス。
【発明の詳細な説明】
【技術分野】
【０００１】
本発明は、撮像素子組込み型マウスにおいて、カメラとして使用する場合の撮影エリアの固定、もしくは調整を容易にするスタンドに関するものである。
【背景技術】
【０００２】
近年、インターネット等による簡易テレビ会議システムが普及している。それに伴いコンピュータ周辺機器において、撮影素子を備えた簡易小型カメラも普及している。また、簡易小型カメラを組込んだ複合装置ということでマウスへの組込みも考えられる。
【０００３】
【特許文献１】特開２００１-２８２４５２号広報
【発明の開示】
【発明が解決しようとする課題】
【０００４】
しかしながら、撮像素子組込み型マウスは、座標情報入力装置として使用する場合には、平面上を移動させながら座標情報入力を行うので、マウス底面の形状を平坦にする必要がある。
【０００５】
また、撮像素子組込み型マウスをカメラとして使用する場合は、撮影エリアの固定を行う為に、マウス底面部に撮影エリアを固定する為の固定具等が必要になる。
【０００６】
座標情報入力機能と撮像素子を使用したカメラ機能を切り替える場合は、使用者が使用している夫々のアプリケーション等へ使用者自身が切り替えをする操作が必要となり、使用者としては操作が複雑になる。
【０００７】
そこで、上記課題を解決するため、本発明は、上記課題を解決した撮像素子組込み型マウスを提供することを目的とする。
【課題を解決するための手段】
【０００８】
上述の課題を解決するため、本発明は、撮像素子を組込んだ座標情報入力機能を有する撮像素子組込み型マウスにおいて、該マウスの角度を調整し、撮像エリアを固定する為のスタンドを該マウスの底面に取付ける。
【発明の効果】
【０００９】
本発明によれば、撮像素子を組込んだ座標情報入力機能を有するマウスにおいて、該スタンドを該マウス底面に取付けることにより、該マウスの角度を調整し、撮影エリアの固定が可能となる。
【発明を実施するための最良の形態】
【００１０】
以下、本発明に係る撮像素子組込み型マウスにつて図面を参照して詳細に説明する。
【実施例１】
【００１１】
本発明の実施形態としてマウス１を図１、図２、図４、図５に示す。尚、図１はマウス１を上部より見た上面図であり、図２及び図５は、マウス１の下面図であり、図４はマウス1の側面図である。
【００１２】
これら図１、図２、図４、図５に示すように、使用者の手に収まる程度の大きさの所謂マウス型の筐体２を備える。
【００１３】
筐体２には、カメラ機能で必要となる撮像素子６と撮影エリアの調整を可能とする自立格納式スタンド１０と、マウス底面２３より一段掘下げられ、該スタンドを格納した際にマウス底面の形状を平坦にできる格納溝２１と、カメラとして安定して設置できることを目的としたマウステール部テーパー１２と、自立格納式スタンド１０が格納溝２１にされるか否かの状態を検知する自立格納式スタンド検出用機械スイッチ１３が設けられている。
【００１４】
この他、マウス１には、使用者がクリック、ダブルクリック、ドラック等の操作を行う為の操作子である左クリックボタン３、右クリックボタン４及びスクロール等の操作を行う為の操作子であるスクロールボタン５を備える。
これら左クリックボタン３、右クリックボタン４、スクロールボタン５の機能及びその動作については周知である為、ここでは詳細に説明しない。
【００１５】
また、マウス１は、例えばパーソナルコンピュータ等の情報処理装置（図示せず）に接続されるが、マウス１と情報処理装置の接続は、専用のマウスケーブルの他、USB基準に準拠したケーブルを用いてもよく、ワイヤレス方式で行ってもよい。
【００１６】
使用者が撮像素子組込み型マウスをカメラとして使用する場合、マウス１本体に格納されている自立格納式スタンド１０をマウス１本体の格納溝２１から取出し、マウス１を机上に置いた状態で撮像素子の撮影エリアを固定することができる。
【００１７】
マウス１本体の格納溝２１から自立格納式スタンド１０を取出す角度により、図４に点線で示す如く撮影エリアの高さを調整することができる。
【００１８】
自立格納式スタンド１０は図３に示すように、左右の自立格納式スタンド取付け穴１１に挿入され取付けられる。
【００１９】
使用者が撮像素子組込み型マウスを座標情報入力装置として使用する場合には、自立格納式スタンド１０をマウス１本体の格納溝２１に格納することにより、マウス底面を平面にできる為、従来の座標情報入力装置として使用できる。
【００２０】
図８にマウス１のマウステール部テーパー１２の形状を示す。マウステール部テーパー
１２の角度２４は、マウス底面に対し約１５度から４５度位とし、自立格納式スタンド
１０を使用した撮像素子組込み型マウスをカメラとして使用し設置する場合には、机上面とマウステール部テーパー１２が面で接するので安定性を増すことができる。
【００２１】
また、マウステール部テーパー１２に滑り防止目的のラバー２０等を貼る事により更に設置時の安定性を確保することができる。マウステール部テーパー１２の形状は、上記に記載した角度を有している。その結果、マウステール部テーパー１２にラバー２０を貼った状態で、撮像素子組込み型マウスを座標情報入力装置として使用する場合には、テーパー部に貼ったラバー２０等が机上面と接する事無く、マウスを摺動でき、不都合とならない。
【００２２】
マウス１本体は、自立格納式スタンド１０をマウス１本体の格納溝２１から取出すことにより、マウス１本体のスタンド格納溝２１に設置された自立格納式スタンド検出用機械スイッチ１３により、自立格納式スタンド１０の有無を検出する。
図６に撮像素子組込み型マウスの自立格納式スタンド格納検出用機械スイッチ１３の詳細を示す。マウス１は、自立格納式スタンド１０が格納される場合に、図６の検出用機械スイッチ１３が、該スタンド１０により押し込まれることにより、内部の接点が開又は閉となり（図示せず）該スタンドの状況を検出する。
【００２３】
マウス１は、例えば、自立格納式スタンド１０が格納溝２１から引出されて、設置された自立格納式スタンド検出用機械スイッチ１３により自立格納式スタンド１０が立てられたことを検出するとマウス内部で座標情報入力機能を停止させ、カメラ機能を起動させる。
【００２４】
逆に、設置された自立格納式スタンド検出用機械スイッチ１３により自立格納式スタンド１０が格納されたことを検出すると、マウス内部でカメラ機能を停止させ座標情報入力機能を起動させる。
【００２５】
図６で自立格納式スタンド１０がマウス底面部の格納溝２１に格納された状態にあるか否かを機械式スイッチ１３で説明したが、これに代えて図７に示すように透過型及び反射型等の光学式センサを用いても機械式スイッチと同じ効果が得られる。
【００２６】
透過型の光学式センサの場合は、発光素子１４ａと受光素子１４ｃ間を、自立格納式スタンド１０が遮ることにより、自立格納式スタンド１０を検知する。反射型の光学式センサの場合は、発光素子１４ａから発せられた赤外光が自立格納式スタンド１０に反射し、その赤外光を受光素子１４ｂで受けることにより、自立格納式スタンド１０を検知することができる。
【００２７】
また、自立格納式スタンド１０の他の実施例として図９、図１０、図１１、図１２に示す。図１１に示すように、マウス底面部に収納できるスタンドトップ部１５ａとスタンドロッド部１５ｂからなる伸縮式スタンドを搭載し、このスタンドを伸縮することによりマウス底面部に固定具等を用いることなく容易に撮影エリア調整が可能となる。
【００２８】
図１０は、撮像素子組込み型マウスの伸縮式スタンド下面図であり、図１１は、スタンドトップ部１５ａとスタンドロッド部１５ｂからなる伸縮式スタンドと、伸縮式スタンド格納部１６及び伸縮式スタンド格納検出用機械スイッチ１７を示す。
【００２９】
スタンドトップ部１５ａとスタンドロッド部１５ｂからなる伸縮式スタンドを格納部
１６に収納した場合、スタンドトップ部１５ａが、伸縮式スタンド格納部１６に設置された検出用機械スイッチ１７の接点を開または閉することにより、伸縮式スタンドが該格納部１６に収納されたことを検出し、座標情報入力機能を起動させる。
【００３０】
また、スタンドトップ部１５ａが、伸縮式スタンド格納部１６から引出された場合、検出用機械スイッチ１７の接点が閉または開することにより、伸縮式スタンドが伸縮式スタンド格納部１６から出されたことを検出し、カメラ機能を起動させる。
【００３１】
伸縮式スタンドの伸縮検出用スイッチとして、機械式スイッチの接点状態により、スタンドの収納の有無を検出しているが、図１２に示すように反射型等の光学式センサを用いても機械式スイッチと同じ効果が得られる。
【００３２】
反射型の光学式センサの場合は、発光素子１８ａから発せられた赤外光がスタンドトップ部１５ａに反射し、その赤外光を受光素子１８ｂで受けることにより、伸縮式スタンドが伸縮式スタンド格納部１６に格納されたことを検知することができる。
【００３３】
スタンドトップ部１５ａの大きさは、伸縮式スタンド格納部１６に格納できる様に、伸縮式スタンド格納部１６の大きさより小さいこと。
【００３４】
かつ、伸縮式スタンド格納検出用機械スイッチ１７を搭載する場合には、スタンドトップ部１５ａの大きさは、伸縮式スタンド格納検出用機械スイッチ１７を押込むことができる大きさであること。また、反射型の光学式センサを搭載する場合には、スタンドトップ部１５ａの大きさは、発光素子１８ａから発せられた赤外光を反射させ、その赤外光を受光素子１８ｂで受けることができる大きさであること。
【図面の簡単な説明】
【００３５】
【図１】撮像素子組込み型マウスの上面図である。
【図２】撮像素子組込み型マウスの下面図である。
【図３】撮像素子組込み型マウスの自立格納式スタンド取付け詳細図である。
【図４】撮像素子組込み型マウスの自立格納式スタンドを立てた状態での側面図である。
【図５】撮像素子組込み型マウスの自立格納式スタンド格納検出用機械スイッチ下面図である。
【図６】撮像素子組込み型マウスの自立格納式スタンド格納検出用機械スイッチ詳細図である。
【図７】撮像素子組込み型マウスの自立格納式スタンド格納検出用光学スイッチ詳細図である。
【図８】撮像素子組込み型マウスのマウステール部テーパー詳細図である。
【図９】撮像素子組込み型マウスの伸縮式スタンド左側面図である。
【図１０】撮像素子組込み型マウスの伸縮式スタンド下面図である。
【図１１】撮像素子組込み型マウスの伸縮式スタンド格納検出用機械スイッチ詳細図である。
【図１２】撮像素子組込み型マウスの伸縮式スタンド格納検出用光学スイッチ詳細図である。
【符号の説明】
【００３６】
１  マウス
２  筐体
３  左クリックボタン
４  右クリックボタン
５  スクロールボタン
６  撮像素子
９  トラックボール
１０  自立格納式スタンド
１１  自立格納式スタンド取付け穴
１２  マウステール部テーパー
１３  自立格納式スタンド検出用機械スイッチ
１４ａ  発光素子
１４ｂ  受光素子
１４ｃ  受光素子
１５ａ  スタンドトップ部
１５ｂ  スタンドロッド部
１６  伸縮式スタンド格納部
１７  伸縮式スタンド格納検出用機械スイッチ
１８ａ  発光素子
１８ｂ  受光素子
２０  ラバー
２１  格納溝
２３  マウス底面
２４  角度
【図１】
2006072751.tif 000003
【図２】
2006072751.tif 000004
【図３】
2006072751.tif 000005
【図４】
2006072751.tif 000006
【図５】
2006072751.tif 000007
【図６】
2006072751.tif 000008
【図７】
2006072751.tif 000009
【図８】
2006072751.tif 000010
【図９】
2006072751.tif 000011
【図１０】
2006072751.tif 000012
【図１１】
2006072751.tif 000013
【図１２】
2006072751.tif 000014